(57)【要約】【課題】      雨水を利用して上水や中水を製造するシステムにおいて、原水受水槽に受け入れた雨水の水質に異常があった場合に直ちに対策がとれるシステムを提供する。【解決手段】  上記課題は、集水した雨水を受水する原水受水槽と、受水した水を浄化して上水および／または中水を製造する水処理装置よりなるシステムにおいて、原水受水槽の水質をＣＯＤセンサーで監視し、異常値が検知されたら直ちに原水受水槽から水処理装置に送水する配管の弁を閉じるように構成されている雨水からの上水および／または中水の製造システムによって解決される。【選択図】        図２
2011122378.tif 000002
【特許請求の範囲】
【請求項１】
集水した雨水を受水する原水受水槽と、受水した水を浄化して上水および／または中水を製造する水処理装置よりなるシステムにおいて、原水受水槽の水質をＣＯＤセンサーで監視し、異常値が検知されたら直ちに原水受水槽から水処理装置に送水する配管の弁を閉じるように構成されている雨水からの上水および／または中水の製造システム
【請求項２】
ＣＯＤセンサーがＵＶ吸収を測定するＵＶセンサーである請求項１記載の上水および／または中水の製造システム
【発明の詳細な説明】
【技術分野】
【０００１】
本発明は、雨水を中水あるいは飲料水として利用するシステムに関するものである。
【背景技術】
【０００２】
雨水を集めて中水や飲料水などに利用する方法は種々開発されている。
例えば、特許文献１には、屋根などに降った雨水を雨樋から地下に設けた集水ピットに溜め、この集水ピット内に設けた水中ポンプで雨水タンクに送水して貯留できるシステムが開発されている。ポンプの能力を越える雨水は従来の雨水処理系へ流水する。
【０００３】
特許文献２には、公園等の広い区域に降った雨水を集めて放水する放水経路の途中に、雨水抽出経路を接続して浄化し、これを利用する雨水利用システムが開示されている。
【０００４】
特許文献３には、屋根などに降った雨水を集めて下の貯水槽に落し、これを浄化する雨水回収処理装置が開示されている。
【０００５】
また、特許文献４には、雨水を各戸から集めるとともに地域に発生する排熱を組み合わせて中水とそれを加熱した温水を供給する複合装置が開示されている。
【０００６】
特許文献５には、雨水や河川、池、生活廃水などを集めて浄化し、中水または上水を製造する装置が開示されている。
【先行技術文献】
【特許文献】
【０００７】
【特許文献１】オーストラリア特許出願第２００７２３１８１２Ａ１号明細書
【特許文献２】特開２００５−３５０８６７号公報
【特許文献３】特開平１０  −２１６７３４号公報
【特許文献４】特開２００２−２０６７６５号公報
【特許文献５】特開平  ９  −２３４４９６号公報
【発明の概要】
【発明が解決しようとする課題】
【０００８】
従来の浄水場では、水処理工程における滞留時間が２４時間程度あるので、異常を検知してから対策をとるまでに時間の余裕がある。しかしながら、本発明で対象としている雨水を集水して利用するシステムでは、小規模であるため、原水受水槽への流入から、処理して配水する迄の時間的な余裕が少なく、対策をとる時間の余裕が少ない。
【０００９】
そこで、水質異常の対応を十分に考慮する必要がある。水質異常の例としては、事故時における油等の有機汚染物質の流入などがある。
【００１０】
本発明の目的は、雨水を利用して上水や中水を製造するシステムにおいて、原水受水槽に受け入れた雨水の水質に異常があった場合に直ちに対策がとれるシステムを提供することにある。
【課題を解決するための手段】
【００１１】
本発明は、上記課題を解決するべくなされたものであり、集水した雨水を受水する原水受水槽と、受水した水を浄化して上水および／または中水を製造する水処理装置よりなるシステムにおいて、原水受水槽の水質をＣＯＤセンサーで監視し、異常値が検知されたら直ちに原水受水槽から水処理装置に送水する配管の弁を閉じるように構成されている雨水からの上水および／または中水の製造システムによって、かかる目的を達成したものである。
【発明の効果】
【００１２】
本発明により、取水した雨水に異常があった場合には、直ちに水処理装置に送る配管の弁を閉じて送水を停止できるので、異常な水質の処理水の発生や供給を防止できる。
【図面の簡単な説明】
【００１３】
【図１】各戸の屋根雨水を集めて原水受水槽に入れ、これを水処理装置に送って浄化する系統を示す図である。
【図２】原水受水槽においてＣＯＤセンサーの取付位置を例示する図である。
【図３】水処理装置における処理系統の例を示す図である。
【発明を実施するための形態】
【００１４】
本発明で利用される雨水は、屋根雨水や路面雨水などである。
これらの雨水を、図１に示すように（路面雨水は図示されていない）、集めて原水受水槽に入れる。
【００１５】
原水受水槽には、入口配管と出口配管がそれぞれ送水ポンプと弁を介して接続され、図示されていないが、さらに水位センサーなども付設されている。
【００１６】
本発明においては、この原水受水槽の水質をＣＯＤセンサーで監視する。ＣＯＤセンサーとしては、接触型のＵＶ吸収を測定するもの、非接触型のレーザを照射して発する蛍光を測定するものなどがある。ＣＯＤセンサーの取付位置は、槽への受け入れ配管の途中（図２のＡ）、原水受水槽（図２のＢ）、原水受水槽から水処理装置へ送る配管の途中（図２のＣ）のいずれでもよいが、配管の途中（図２のＡ又はＣ）が便宜であり、特に受け入れ配管の途中（図２のＡ）が好ましい。この受け入れ配管は屋根雨水や路面雨水が集合した基管を原則とする。
【００１７】
そして、ＣＯＤセンサーによりＣＯＤの変化を常時監視し、異常値を越えた場合に、直ちに水処理装置に送る配管の弁（図２のＤ）を閉めるのである。異常値の判定に際しては実態に合わせて様々な基準を採用できる。例えば、測定値が平均値に対して３σ（σは測定値が正規分布に従う場合の分散）以上高くなった場合、あるいは測定値が平均値の３倍を超える場合、といった基準が考えられる。
【００１８】
水処理装置の構成例を図３に示す。原水受水槽から取り出された雨水は、まず、前処理としてダストフィルターにより塵埃等が除去された後マイクロフィルター（ＭＦ）で精密濾過が行われ、これを中水として中水貯槽に入れられる。中水貯槽からは滅菌剤として次亜塩素酸ナトリウム等が添加されて中水として供給される。
【００１９】
一方、中水貯槽から一部は上水処理装置に送られ、そこで活性炭塔を通過させ、滅菌のためにＵＶ照射を受けた後に、滅菌効果を持続するための薬剤として次亜塩素酸ナトリウムがさらに添加されて、飲料水貯槽に入れられて、そこから上水として供給される。なお、雨水を飲料水化するための処理は、水質基準も地域、国などによって異なったものとなるので、処理プロセスは流入水質、要求処理水質に応じて最適な方法を選択する必要がある。上述のＭＦ膜やＵＦ膜による濾過やＵＶ・塩素滅菌、活性炭吸着法のほか、凝集処理、沈澱処理、ｐＨ調整、イオン交換、逆浸透膜法、オゾン処理法、などを適宜組み合わせて使用する。
【産業上の利用可能性】
【００２０】
本発明の雨水利用システムは、雨水から上水と中水を安定供給できるので、特に、河川等から離れた地域に有効である。
【図１】
2011122378.tif 000003
【図２】
2011122378.tif 000004
【図３】
2011122378.tif 000005